【手続補正書】
【提出日】平成21年10月7日(2009.10.7)
【手続補正１】
【補正対象書類名】特許請求の範囲
【補正対象項目名】請求項１
【補正方法】変更
【補正の内容】
【請求項１】
デジタルコンテンツを登録するコンテンツ登録部と；
前記コンテンツ登録部に登録されたデジタルコンテンツを記憶する外部記憶装置から前記コンテンツ登録部に登録されたデジタルコンテンツを取得可能なコンテンツ取得部、又は前記コンテンツ登録部に登録されたデジタルコンテンツを記憶する記憶部と；
前記登録されたデジタルコンテンツにスクランブルを施し、スクランブルの程度が異なる複数レベルのスクランブルコンテンツを生成可能なスクランブル化部と；
前記スクランブルコンテンツに関するスクランブルレベルを設定するスクランブルレベル設定部と；
前記スクランブルレベルが設定されたスクランブルコンテンツを開示するスクランブルコンテンツ開示部と；
前記スクランブルコンテンツ開示部にて開示されたスクランブルコンテンツに係るデジタルコンテンツの配信要求を受け付ける配信要求受付部と；
前記配信要求が受け付けられたデジタルコンテンツを配信するコンテンツ配信部とを備える；
デジタルコンテンツ登録配信装置。
【手続補正２】
【補正対象書類名】明細書
【補正対象項目名】０００８
【補正方法】変更
【補正の内容】
【０００８】
上記課題を解決するために、本発明の第１の態様に係るデジタルコンテンツ登録配信装置１００は、例えば図８に示すように、デジタルコンテンツを登録するコンテンツ登録部１２０と、コンテンツ登録部１２０に登録されたデジタルコンテンツを記憶する外部記憶装置３００（図７参照）から登録されたデジタルコンテンツを取得可能なコンテンツ取得部１００Ｇ、又はコンテンツ登録部１２０に登録されたデジタルコンテンツを記憶する記憶部と、登録されたデジタルコンテンツにスクランブルを施し、スクランブルの程度が異なる複数レベルのスクランブルコンテンツを生成可能なスクランブル化部１５０と、スクランブルコンテンツに関するスクランブルレベルを設定するスクランブルレベル設定部１４０と、スクランブルレベルが設定されたスクランブルコンテンツを開示するスクランブルコンテンツ開示部１６０と、スクランブルコンテンツ開示部１６０にて開示されたスクランブルコンテンツに係るデジタルコンテンツの配信要求を受け付ける配信要求受付部１７０と、配信要求が受け付けられたデジタルコンテンツを配信するコンテンツ配信部１９０とを備える。
【手続補正３】
【補正対象書類名】明細書
【補正対象項目名】００１０
【補正方法】変更
【補正の内容】
【００１０】
また、本発明の第２の態様は、第１の態様に係るデジタルコンテンツ登録配信装置１００において、例えば図８に示すように、登録されたデジタルコンテンツに対するアクセス、配信、閲覧要求、被引用、被リンク、被検索ヒット等のコンテンツ利用に係るデータ（以下、利用データという）を取得する利用データ計測部１８０を備え、スクランブルレベル設定部１４０は、利用データ計測部１８０で取得されたデータに基づいて、デジタルコンテンツに関するスクランブルレベルを設定可能である。ここにおいて、コンテンツ利用に係るデータとして典型的には利用度を使用する。利用度とはコンテンツの利用される程度を示す指標をいい、例えばアクセス回数、配信回数、閲覧要求回数、被引用件数、被リンク件数、被検索ヒット回数、これらの増加率、頻度、アクセス時間を用いても良く、これらを組合せて用いても良い。また、設定可能であるとは、設定できるが常に設定する必要はないことを意味する。例えば、初期においては利用データが無いか少ないので参照する必要はない。このように構成すると、利用データを参照してスクランブルレベルを調整でき、例えば評判を向上させる傾向に調整が可能である。
【手続補正４】
【補正対象書類名】明細書
【補正対象項目名】００１１
【補正方法】変更
【補正の内容】
【００１１】
また、本発明の第３の態様は、第１又は第２の態様に係るデジタルコンテンツ登録配信装置１００において、例えば図５に示すように、スクランブルの手法として、ぼかし、揺らぎ、ゴースト、順序入替、マスク、モザイクのうちのいずれか又はこれらの組合せを用いる。ここにおいて、典型的にはいずれかの手法を単独で使用するが、これらの手法を組合せて用いても良い。また、順序入替には単数回及び複数回の交換が含まれる。このように構成すると、スクランブルに比較的使い易く有効な手法を使用できる。
【手続補正５】
【補正対象書類名】明細書
【補正対象項目名】００１２
【補正方法】変更
【補正の内容】
【００１２】
また、本発明の第４の態様は、第１乃至第３のいずれかの態様に係るデジタルコンテンツ登録配信装置１００において、デジタルコンテンツは、画像、音、テキストのうちのいずれか又はこれらの組合せから構成される。ここにおいて、画像には、写真、グラヒック、図面、漫画等が含まれ、音には音声、音響等が含まれ、テキストには書籍、雑誌、新聞、文書等が含まれる。また、テキストの文字は日本語に限られず、アルファベット、絵文字、点字でも良い。またこれらの組合せには映画、ＴＶドラマ、絵本等が含まれる。このように構成すると、広範なデジタルコンテンツに本発明を適用できる。
【手続補正６】
【補正対象書類名】明細書
【補正対象項目名】００１３
【補正方法】変更
【補正の内容】
【００１３】
また、本発明の第５の態様は、第１乃至第４のいずれかの態様に係るデジタルコンテンツ登録配信装置１００において、コンテンツ配信部１９０は、スクランブルコンテンツ開示部１６０にて開示されたスクランブルコンテンツを原画像に復元させる復号鍵を配信する。このように構成すると、スクランブルコンテンツを復号する鍵を用いれば配信時の暗号化を省略でき、配信・復号の工程を簡易化できる。
【手続補正７】
【補正対象書類名】明細書
【補正対象項目名】００１４
【補正方法】変更
【補正の内容】
【００１４】
また、本発明の第６の態様に係るデジタルコンテンツ登録配信システム５００は、例えば図７及び図８に示すように、第１乃至第５のいずれかの態様に係るデジタルコンテンツ登録配信装置１００と、デジタルコンテンツ登録配信装置１００に対してデジタルコンテンツの配信要求を行い、デジタルコンテンツ登録配信装置１００から配信されたデジタルコンテンツを受信し、再生するデジタルコンテンツ受信再生装置２００とから構成される。このように構成すると、本発明によるデジタルコンテンツ登録配信装置を用いることにより、コンテンツの評判に応じて開示の程度を戦略的にコントロールできるデジタルコンテンツ登録配信システムを提供できる。
【手続補正８】
【補正対象書類名】明細書
【補正対象項目名】００１５
【補正方法】変更
【補正の内容】
【００１５】
また、本発明の第７の態様に係るデジタルコンテンツ登録配信方法は、例えば図１１に示すように、デジタルコンテンツを登録するコンテンツ登録工程Ｓ００１と、コンテンツ登録工程Ｓ００１で登録されたデジタルコンテンツを記憶するコンテンツ記憶工程Ｓ００２と、登録されたデジタルコンテンツにスクランブルを施し、スクランブルの程度が異なる複数レベルのスクランブルコンテンツを生成可能なスクランブル化工程Ｓ００４と、スクランブルコンテンツに関するスクランブルレベルを設定するスクランブルレベル設定工程Ｓ００３と、スクランブルレベルが設定されたスクランブルコンテンツを開示するスクランブルコンテンツ開示工程Ｓ００５と、スクランブルコンテンツ開示工程Ｓ００５にて開示されたスクランブルコンテンツに係るデジタルコンテンツの配信要求を受け付ける配信要求受付工程Ｓ００６と、配信要求が受け付けられたデジタルコンテンツを配信するコンテンツ配信工程Ｓ００８とを備える。このように構成すると、デジタルコンテンツについて、スクランブルのレベルを代えて戦略的に開示の程度をコントロールできるコンテンツ登録配信方法を提供できる。
【手続補正９】
【補正対象書類名】明細書
【補正対象項目名】００１６
【補正方法】変更
【補正の内容】
【００１６】
また、本発明の第８の態様は、第７の態様に係るデジタルコンテンツ登録配信方法において、例えば図１１に示すように、登録されたデジタルコンテンツに対するアクセス、配信、閲覧要求、被引用、被リンク、被検索ヒット等のコンテンツ利用に係るデータを取得する利用データ計測工程Ｓ００７を備え、スクランブルレベル設定工程Ｓ００３は、利用データ計測工程Ｓ００７で取得されたデータに基づいて、デジタルコンテンツに関するスクランブルレベルを設定可能である。このように構成すると、利用データを参照してスクランブルレベルを調整でき、例えば評判を向上させる傾向に調整が可能である。
【手続補正１０】
【補正対象書類名】明細書
【補正対象項目名】００１９
【補正方法】変更
【補正の内容】
【００１９】
図１は本発明の概念を説明するための図である。図においてＡ〜Ｅはスクランブルレベルを段階的に変えたコンテンツである。ここでは、コンテンツの内容を認知困難にするように加工する手法をスクランブルということとする。例えば、ぼかし、揺らぎ、ゴースト、順序入替、マスク、モザイク等の手法が該当する。Ａはスクランブルされていない鮮明なコンテンツ、Ｂは少しスクランブル化され、少し不鮮明な部分を含むコンテンツ、Ｃはスクランブル化が進み、不鮮明な部分が中位のコンテンツ、Ｄはさらにスクランブル化が進み、内容の予測が難しいコンテンツ、Ｅは全範囲が黒色又は白色等でマスクされており、判別が不可能なコンテンツである。ここでは、スクランブルコンテンツは、全く認知できないようにスクランブルされたものではなく、ある程度認知可能なようにスクランブルされたもの、例えば部分的にスクランブルされたものであり、スクランブルレベルにより認知度が変化する。本発明はこのように段階的にスクランブルレベル（程度）を変えた複数のデジタルコンテンツを準備し、読者が購入する前には全範囲を開示することなく、かつコンテンツ内容に興味を持たせ購入したいと思わせるように、スクランブルレベルを戦略的に調整して開示し、評判に応じて開示の程度をコントロールしながら販売しようとするものである。
【手続補正１１】
【補正対象書類名】明細書
【補正対象項目名】００２７
【補正方法】変更
【補正の内容】
【００２７】
図６に「マスク」を用いたスクランブル化の例を示す。図の斜線はマスクされる部分を示す。図６（ａ）〜（ｃ）はスクランブル化する範囲を変化するもので、図６（ａ）は全画像領域の１／４、図６（ｂ）は１／２、図６（ｃ）は３／４をマスクする。スクランブル化する範囲、すなわちマスクする範囲が大きくなるにつれて原画像の残存範囲が小さくなり、原画像を認知し難くなる。図６（ｄ）〜（ｆ）はスクランブル化するマスクの寸法を変化するもので、図６（ｄ）は画像の１／４、図６（ｅ）は１／１６、図６（ｆ）は１／６４の寸法のマスクが用いられる。マスクの寸法が小さくなるにつれて画像の連続領域が小さくなり、原画像を認知し難くなる。図３の例は図６（ａ）〜（ｃ）でマスクされる部分が格子の線上の場合である。
【手続補正１２】
【補正対象書類名】明細書
【補正対象項目名】００２８
【補正方法】変更
【補正の内容】
【００２８】
「順序入替」の場合は、図６（ａ）〜（ｆ）において、図の斜線のマスクされる部分について順序入れ替えによるスクランブルを行い、白地部分に原画を残すこととすれば、図６（ａ）〜（ｃ）ではスクランブル化する範囲により原画像の認知度が変化し、図６（ｄ）〜（ｆ）ではスクランブル化する連続領域の寸法により原画像の認知度が変化する。
【手続補正１３】
【補正対象書類名】明細書
【補正対象項目名】００２９
【補正方法】変更
【補正の内容】
【００２９】
図７に、本実施の形態におけるコンテンツ登録配信装置１００、コンテンツ受信再生装置２００からなるデジタルコンテンツ登録配信システム５００の構成例を示す。コンテンツ登録配信装置１００は配信対象のコンテンツを記憶する外部記憶装置３００を有し、コンテンツ登録配信装置１００とコンテンツ受信再生装置２００は、例えばインターネットなどの通信回線４００を通じてネットワーク的に接続されているものとする。コンテンツ登録配信装置１００は予め外部記憶装置３００に記憶されているデジタルコンテンツを取得して登録しても良く、ＣＤ−ＲＯＭ，ＤＶＤ等の記憶媒体やインターネットからデジタルコンテンツを取得して外部記憶装置３００に記憶すると共に登録しても良い。また、外部記憶装置３００に代えて又は併用して取得・登録したデジタルコンテンツを内蔵の記憶部に記憶しても良いが、本実施の形態ではシステムに付属する外部記憶装置３００に記憶するものとする。コンテンツ登録配信装置１００は外部記憶装置３００に記憶したデジタルコンテンツの原画像をスクランブル化してスクランブルコンテンツを生成し、原画像と共に外部記憶装置３００に格納する。スクランブル化のレベル（程度）は複数レベル可能であり、その中から１レベルを設定して開示する。利用者はコンテンツ受信再生装置２００からコンテンツ登録配信装置１００により開示されたスクランブルコンテンツを閲覧して、デジタルコンテンツの内容を部分的に把握した上で、コンテンツの全容を知りたいと思う場合にはコンテンツ登録配信装置１００に配信要求を行なう。コンテンツ登録配信装置１００はコンテンツ受信再生装置２００からの配信要求を受け付けて、スクランブル化されたデジタルコンテンツを復号する復号鍵又は暗号化された原画像とともにこれを復号する復号鍵を配信する。コンテンツ受信再生装置２００は、配信されたスクランブル化されたデジタルコンテンツを又は暗号化された原画像を復号鍵を用いて再生する事で、利用者によるデジタルコンテンツの視聴を可能とする。本実施の形態では配信要求に対して暗号化された原画像を送受信するものとする。
【手続補正１４】
【補正対象書類名】明細書
【補正対象項目名】００３０
【補正方法】変更
【補正の内容】
【００３０】
図８に、コンテンツ登録配信装置１００の機能構成例を示す。本実施の形態におけるコンテンツ登録配信装置１００は、登録配信制御部１１０、コンテンツ登録部１２０、コンテンツ分割格納部１３０、スクランブルレベル設定部１４０、スクランブル化部１５０、スクランブルコンテンツ開示部１６０、配信要求受付部１７０、コンテンツ配信部１９０、利用データ計測部１８０、登録配信情報記憶部１００Ｍ、コンテンツ取得部１００Ｇを備える。
【手続補正１５】
【補正対象書類名】明細書
【補正対象項目名】００３１
【補正方法】変更
【補正の内容】
【００３１】
コンテンツ登録配信装置１００は、登録配信制御部１１０の制御にしたがって動作する。コンテンツ登録部１２０は、配信の対象とするデジタルコンテンツの登録を受け付け、これらデジタルコンテンツの識別情報及びコンテンツのタイトルやデータ長などの書誌情報を記憶する。配信の対象となるデジタルコンテンツは当該システムに付属する外部記憶装置３００に蓄積する。他のシステムの外部記憶装置、ＣＤ−ＲＯＭ，ＤＶＤ等の記録媒体やインターネットからデジタルコンテンツを取得して登録する場合には、コンテンツ取得部１００Ｇで取得し、コンテンツ登録部１２０に登録し、付属の外部記憶装置３００に記憶する。
【手続補正１６】
【補正対象書類名】明細書
【補正対象項目名】００３５
【補正方法】変更
【補正の内容】
【００３５】
スクランブル化部１５０は、各デジタルコンテンツをスクランブルレベル設定部１４０で設定されたレベルでスクランブル化する。
まず、スクランブル手法が（ｄ）「順序入替」の場合について説明する。（ｄ）「順序入替」は単位寸法に分割されたコンテンツ片の配置順序を入れ替えるものである。順序入れ替えするコンテンツ片の寸法、順序入れ替えする範囲（コンテンツ片の数）を変えることによりスクランブルレベルを制御可能である。例えば図６（ａ）〜（ｃ）のように順序入れ替えする範囲を３段階とし、スクランブルレベルをこれに対応させるものとする。図の斜線領域はスクランブルを行なう領域であり、白地領域は原画像が保持される領域である。簡単のため、コンテンツの単位寸法を画面の１／１６×１／１６とし、原画像を２５６個のコンテンツ片に分割するものとする。図６（ｃ）では原画像が保持される６４のコンテンツ片の配置は不変であり、残りの１９２のコンテンツ片の配置がスクランブル化されてランダムに入れ替えられる。このため、コンテンツ片の正しい配列を｛Ｃ１１，Ｃ１２，…，Ｃ１Ｆ，Ｃ２１，Ｃ２２，…，Ｃ２Ｆ，…，ＣＦ１，…，ＣＦＦ｝、スクランブル化された配列を｛Ｓ１１，Ｓ１２，…，Ｓ１Ｆ，Ｓ２１，Ｓ２２，…，Ｓ２Ｆ，…，ＳＦ１，…，ＳＦＦ｝とすると、ｉ＝１，５，９，１３で、Ｃｉｊ＝Ｓｉｊとなるが、その他のｉでは一般には異なるコンテンツ片に入れ替えられる。図６（ｂ）では原画像が保持される１２８のコンテンツ片の配置は不変であり、残りの１２８のコンテンツ片の配置がスクランブル化されてランダムに入れ替えられる。ｉ＝１，２，５，６，９，１０，１３，１４で、Ｃｉｊ＝Ｓｉｊとなるが、その他のｉでは一般には異なるコンテンツ片に入れ替えられる。図６（ａ）では原画像が保持される１９２のコンテンツ片の配置は不変であり、残りの６４のコンテンツ片の配置がスクランブル化されてランダムに入れ替えられる。ｉ＝１〜３，５〜７，９〜１１，１３〜１５で、Ｃｉｊ＝Ｓｉｊとなるが、その他のｉでは一般には異なるコンテンツ片に入れ替えられる。このようにコンテンツ片の順序が入れ替えられるが、いずれのスクランブルコンテンツもコンテンツ片の順序を入れ替える下記の入れ替え演算子Ｃｅｘを用いることで表現可能である。
【手続補正１７】
【補正対象書類名】明細書
【補正対象項目名】００３８
【補正方法】変更
【補正の内容】
【００３８】
次に、（ｅ）「マスク」について説明する。「マスク」は単位寸法に分割されたコンテンツ片を白色片又は黒色片でマスクするものであり、マスクするコンテンツ片の寸法、マスクする範囲（コンテンツ片の数）によりスクランブルレベルを制御可能である。原画像が保持される領域については、前述の「順序入替」の場合と同様である。他方、スクランブル領域については、コンテンツ片の順序を入れ替える代わりに、全て白色片又は黒色片で置換する。このような態様でもスクランブルされない原画像の保持領域では、原画像を見ることができ、コンテンツ内容を部分的に認知可能である。この場合、原画像の配置をＣ１１〜ＣＦＦ（２５６個）とし、その後に続けて、白色片又は黒色片の配置をＣＧ１〜ＣＸＦ（例えば図６（ｄ）〜（ｆ）では１２８個）とし、マスクするコンテンツ片をこれら白色片又は黒色片と置換すれば、「マスク」の場合のスクランブルコンテンツも入れ替え演算子Ｃｅｘ（図６（ｄ）〜（ｆ）ではコンテンツ片数３８４個）を用いることで表現可能である。なお、この場合スクランブル画像として利用者が見ることができるのは、最初から２５６個のコンテンツ片に限られる。また、スクランブルコンテンツから原画像を復元するには、Ｃｅｘを元に戻す演算子Ｃｅｘ＊を使用できる。
【手続補正１８】
【補正対象書類名】明細書
【補正対象項目名】００４４
【補正方法】変更
【補正の内容】
【００４４】
スクランブルコンテンツ開示部１６０は、スクランブルコンテンツを開示する。利用者は会員登録が必要であるが、自己のコンテンツ受信再生装置２００からコンテンツ登録配信装置１００のホームページにアクセス可能である。ホームページに登録コンテンツの一覧表を示しても良いが、コンテンツが多い場合は検索エンジンを利用して、検索条件に該当したコンテンツのみを一覧表示するのが良い。検索キーはコンテンツの種類（写真、グラヒック、図面、漫画、ビデオ、ＴＶ）、分野（生物、人物、乗り物、機械、建築、静物、服装、風景、空想、宇宙等）、タイトル、コンテンツ提供者等を検索項目とし、キーワード検索可能とする。また、検索条件に該当するデジタルコンテンツを一覧表示可能とする。一覧表に簡単な概要が示されると便宜である。利用者はホームページに示された一覧表から、興味あるコンテンツを発見した場合には、閲覧希望を行なう。閲覧希望は、例えば一覧表でデジタルコンテンツを指定し、ホームページに表示された閲覧希望ボタンをクリックすることにより行なわれる。
【手続補正１９】
【補正対象書類名】明細書
【補正対象項目名】００４５
【補正方法】変更
【補正の内容】
【００４５】
スクランブルコンテンツ開示部１６０は、閲覧希望した利用者にスクランブルコンテンツを無料で送信する。このスクランブルコンテンツは、全く認知できないようにスクランブルされたものではなく、ある程度認知可能なようにスクランブルされたもの、例えば部分的にスクランブルされたものであり、スクランブルレベルにより認知度が変化する。スクランブルレベルは複数レベルのうちスクランブルレベル設定部１４０で設定されたレベルを用いる。外部記憶装置３００に分割格納されたコンテンツ片を設定されたスクランブルレベルについて登録配信情報記憶部１００Ｍに記憶された配列順序で読み出し、利用者のコンテンツ受信再生装置２００に送信する。送信時には当該デジタルコンテンツを指定した配信要求書式を添付する。
【手続補正２０】
【補正対象書類名】明細書
【補正対象項目名】００４６
【補正方法】変更
【補正の内容】
【００４６】
スクランブルコンテンツを見て、購入を希望する利用者は、自己のコンテンツ受信再生装置２００からコンテンツ登録配信装置１００に対し配信要求を行なうと共に、コンテンツ料金の支払い処理を行なう。配信要求は、例えば配信要求書式でデジタルコンテンツを指定し、同書式に表示された配信要求ボタンをクリックすることにより行なわれる。
【手続補正２１】
【補正対象書類名】明細書
【補正対象項目名】００５１
【補正方法】変更
【補正の内容】
【００５１】
コンテンツ配信部１９０は、配信要求されたデジタルコンテンツの原画像を、外部記憶装置３００から抽出し、暗号化処理をした上で、復号鍵と共にコンテンツ受信再生装置２００に配信する。コンテンツ片の配置順序を入れ替えて暗号化処理とすることも可能であり、この場合の復号鍵はＣｅｘを元に戻す演算子Ｃｅｘ＊を使用可能である。なお、この場合、コンテンツ片を読み出した順番通りに一つずつ配信しても良く、幾つかのグループに分けて配信しても良く、一括して一つのデータとして配信しても良い。配信に際しては、コンテンツに関する識別情報や配信回数を示す情報、配信を受けるコンテンツ受信再生装置２００に関する情報などを、コンテンツに付随させることが望ましい。特に、コンテンツ片を一括して配信する場合は、各コンテンツ片の区切りが分かるような情報を、配信コンテンツのヘッダあるいは断片コンテンツ間などに挿入することが望ましい。また、配信における安全性を高めるために、配信に係る諸種データをスクランブルして、復号鍵と共に配信しても良い。
【手続補正２２】
【補正対象書類名】明細書
【補正対象項目名】００５４
【補正方法】変更
【補正の内容】
【００５４】
コンテンツ受信再生装置２００は、受信再生制御部２１０の制御にしたがって動作する。
コンテンツ要求部２２０は、視聴再生の対象とするコンテンツに対する配信要求を生成し、コンテンツ登録配信装置１００に送信する。
コンテンツ受信部２３０は、コンテンツ登録配信装置１００より配信されるコンテンツ片を順次受信したり、グループ毎にあるいは一括して送付されるコンテンツ片の集合若しくは暗号化された原画像を受信する。
コンテンツ格納部２４０は、受信したコンテンツを記憶する。必要により、例えば演算子Ｃｅｘ＊を用いて原画像を復元する場合にはコンテンツ片毎に分けて記録する。
復号鍵受信部２５０は、受信したスクランブルコンテンツを正常な順序で再生するための復号鍵又は暗号化された原画像を再生するための復号鍵を、コンテンツ登録配信装置１００より受信し、受信再生情報記憶部２００Ｍあるいは内部メモリなどに記録する。
コンテンツ再生部２６０は、順次受信したコンテンツ片、又はグループ毎に若しくは一括して受信したコンテンツ片の集合若しくは暗号化された原画像を復号鍵を用いて再生する。演算子Ｃｅｘ＊を用いて原画像を復元する場合には、当該演算子を復号鍵として復号する。本実施の形態では閲覧要求に対してスクランブルコンテンツを、配信要求に対して暗号化された原画像を送受信するものとする。
【手続補正２３】
【補正対象書類名】明細書
【補正対象項目名】００５６
【補正方法】変更
【補正の内容】
【００５６】
次に、スクランブル化部１５０で、各デジタルコンテンツをスクランブルレベル設定部１４０で設定されたレベルでスクランブル化する（スクランブル化工程：Ｓ００４）。スクランブル化部１５０でスクランブル化されたコンテンツに関して、複数のレベルについてスクランブル化された新たな配置Ｓ１１〜ＳＦＦの順序は登録配信情報記憶部１００Ｍに記憶される。「ぼかし」、「揺らぎ」、「ゴースト」等の場合には、コンテンツ片に分割しても良いが配列順序を変える必要はなく、この場合は新たな配置Ｓ１１〜ＳＦＦの順序は分割格納された各コンテンツ片の配置ＣＣ１１〜ＣＦＦの順序のままで良い。また必ずしもコンテンツ片に分割する必要はない。この場合には外部記憶装置３００内のスクランブルレベル毎のスクランブルコンテンツのアドレスを登録配信情報記憶部１００Ｍに記憶すれば良い。次に、スクランブルコンテンツ開示部１６０で、スクランブルコンテンツを開示する。そして、閲覧希望した利用者に設定されたレベルでスクランブル化されたスクランブルコンテンツを登録配信情報記憶部１００Ｍに記憶された配列順序で読み出し無料で送信する（スクランブルコンテンツ開示工程：Ｓ００５）。スクランブルコンテンツを見て、購入を希望する利用者は、自己のコンテンツ受信再生装置２００からコンテンツ登録配信装置１００に対し配信要求を行なうと共に、コンテンツ料金の支払い処理を行なう。次に、配信要求受付部１７０で、コンテンツ料金の支払い処理を確認し、コンテンツ受信再生装置２００からの配信要求を受け付ける（配信要求受付工程：Ｓ００６）。また、利用データ計測部１８０で、配信要求を受けたコンテンツに関して、コンテンツの配信回数（購入希望件数）をカウントし、利用データとする。また、スクランブルコンテンツの配信回数（アクセス件数＝閲覧希望件数）もカウントし、利用データとする（利用データ計測工程：Ｓ００７）。これらの利用データから例えば図２の開示度−利用度の関係データが生成され、これを参照することにより、今後開示するスクランブルコンテンツのスクランブルレベルを評判に応じて戦略的に設定可能である。この場合はスクランブルレベル設定工程（Ｓ００３）に戻る。戻らない場合には、コンテンツ配信部１９０で、配信要求されたデジタルコンテンツの原画像を、外部記憶装置３００から抽出し、暗号化処理をした上で、復号鍵と共にコンテンツ受信再生装置２００に配信する（コンテンツ配信工程：Ｓ００８）。コンテンツ受信再生装置２００は、暗号化処理されたデジタルコンテンツの原画像と復号鍵を受信し、復号鍵を用いてデジタルコンテンツを再生する。これにより、利用者はデジタルコンテンツの原画像を鑑賞可能である。
【手続補正２４】
【補正対象書類名】明細書
【補正対象項目名】００６１
【補正方法】変更
【補正の内容】
【００６１】
図１２に「順序入替」を用いたスクランブル化の別の例を示す。図１２（ｄ）〜（ｆ）はそれぞれ、図６（ｄ）〜（ｆ）の図で全部斜線で覆われている場合に相当する。コンテンツの単位寸法を画面の１／１６×１／１６とするが、順序入れ替えする連続領域の寸法を３レベルとして、図１２（ｄ）では画像を１／４分割したものとし、図１２（ｅ）では画像を１／１６分割したものとし、図１２（ｆ）では画像を１／６４分割したものとして、ユニット単位でスクランブルすることにすれば、図１２（ｄ）では連続した画像が大きいのでコンテンツの内容が比較的認知し易く、図１２（ｅ）では連続した画像が中位なのでコンテンツの内容の認知度は中程度となり、図１２（ｆ）では連続領域の寸法が小さいのでコンテンツの内容は認知困難である。これにより、複数レベルのスクランブルが実現できる。この場合も２５６個の単位寸法に分割されたコンテンツ片について、スクランブルコンテンツが演算子Ｃｅｘで表現され、これを元に戻す演算子がＣｅｘ＊で表現されるので、配信要求に対する復号鍵としてＣｅｘ＊を配信すれば良い。
【手続補正２５】
【補正対象書類名】明細書
【補正対象項目名】００７３
【補正方法】変更
【補正の内容】
【００７３】
１００  コンテンツ登録配信装置
１００Ｍ  登録配信情報記憶部
１１０  登録配信制御部
１２０  コンテンツ登録部
１３０  コンテンツ分割格納部
１４０  スクランブルレベル設定部
１５０  スクランブル化部
１６０  スクランブルコンテンツ開示部
１７０  配信要求受付部
１８０  利用データ計測部
１９０  コンテンツ配信部
２００  コンテンツ受信再生装置
２００Ｍ  受信再生情報記憶部
２１０  受信再生制御部
２２０  コンテンツ要求部
２３０  コンテンツ受信部
２４０  コンテンツ格納部
２５０  復号鍵受信部
２６０  コンテンツ再生部
３００  外部記憶装置
４００  通信回線
５００  デジタルコンテンツ登録配信システム
【手続補正２６】
【補正対象書類名】図面
【補正対象項目名】図６
【補正方法】変更
【補正の内容】
【図６】
2008124971.tif 000001
【手続補正２７】
【補正対象書類名】図面
【補正対象項目名】図１０
【補正方法】変更
【補正の内容】
【図１０】
2008124971.tif 000002
【手続補正２８】
【補正対象書類名】図面
【補正対象項目名】図１２
【補正方法】変更
【補正の内容】
【図１２】
2008124971.tif 000003